(57)【要約】【課題】  複数のコンテンツ記録装置でコンテンツの記録を開始するタイミングを同期させること。【解決手段】  コンテンツ記録システムは、複数のＩＣレコーダを含み、複数のＩＣレコーダのすべてを直ちに録音可能なスタンバイ状態に遷移させる第１および第２準備部（Ｓ０９、Ｓ１０）と、複数のＩＣレコーダの状態を検出する検出部（Ｓ１０）と、複数のＩＣレコーダのすべてがスタンバイ状態に遷移したことが検出されることを条件に（Ｓ１０でＹＥＳ）、複数のＩＣレコーダに録音させる開始制御部（Ｓ１３、Ｓ１４）と、を備える。【選択図】        図６
2010244643.tif 000002
【特許請求の範囲】
【請求項１】
複数のコンテンツ記録装置を含むコンテンツ記録システムであって、
前記複数のコンテンツ記録装置のすべてを直ちにコンテンツを記録可能なスタンバイ状態に遷移させる準備手段と、
前記複数のコンテンツ記録装置の状態を検出する検出手段と、
前記複数のコンテンツ記録装置のすべてがスタンバイ状態に遷移したことが検出されることを条件に、前記複数のコンテンツ記録装置にコンテンツを記録させる開始制御手段と、を備えたコンテンツ記録システム。
【請求項２】
前記複数のコンテンツ記録装置は、１つの親機を含み、
前記親機は、前記準備手段と、前記検出手段と、前記開始制御手段と、を含む、請求項１に記載のコンテンツ記録システム。
【請求項３】
前記準備手段は、前記複数のコンテンツ記録装置のうち前記親機以外の少なくとも１つの子機に直ちにコンテンツを記録可能なスタンバイ状態に遷移させるためのスタンバイ信号を送信する送信手段を含み、
前記検出手段は、前記少なくとも１つの子機それぞれからスタンバイ状態に遷移したことを示すスタンバイ完了信号を受信する状態受信手段を含む、請求項２に記載のコンテンツ記録システム。
【請求項４】
前記検出手段により前記複数のコンテンツ記録装置のすべてがスタンバイ状態に遷移したことが検出されることに応じて、前記複数のコンテンツ記録装置のすべてがスタンバイ状態に遷移したことを通知する通知手段を、さらに備えた請求項１〜３のいずれかに記載のコンテンツ記録システム。
【請求項５】
前記開始制御手段は、前記複数のコンテンツ記録装置にコンテンツを記録させるための操作を受け付ける操作受付手段を含む、請求項１〜４のいずれかに記載のコンテンツ記録システム。
【請求項６】
複数のコンテンツ記録装置のすべてを直ちにコンテンツを記録可能なスタンバイ状態に遷移させるステップと、
前記複数のコンテンツ記録装置の状態を検出するステップと、
前記複数のコンテンツ記録装置のすべてがスタンバイ状態に遷移したことが検出されることを条件に、前記複数のコンテンツ記録装置にコンテンツを記録させるステップと、を前記複数のコンテンツ記録装置のいずれか１つまたは前記複数のコンテンツ記録装置を制御するコンピュータに実行させるコンテンツ記録制御方法。
【発明の詳細な説明】
【技術分野】
【０００１】
この発明は複数のコンテンツ記録装置を含むコンテンツ記録システムおよびコンテンツ記録制御方法に関し、特に複数のコンテンツを同時に記録するのに適したコンテンツ記録システムおよびコンテンツ記録制御方法に関する。
【背景技術】
【０００２】
複数人が楽器を演奏して奏でる音を録音する場合、複数の楽器それぞれを録音して、後で録音した音を結合して１つの音楽データに編集する場合がある。この場合、複数の楽器それぞれに対応するコンテンツ記録装置において、同時に録音を開始すれば、複数のコンテンツ記録装置で録音された複数の音データを結合する際に、同期させる作業が容易となる。
【０００３】
しかしながら、コンテンツ記録装置は、ハードディスク、フラッシュメモリ等の記録媒体に音を録音するが、音データを記録するための領域をサーチするなどの処理に要する時間がコンテンツ記録装置によって異なる場合がある。このため、複数のコンテンツ記録装置それぞれに、同時に録音開始を指示したとしても、実際に録音が開始されるまでの時間が異なる場合があるといった問題がある。
【０００４】
一方、直ちに処理を実行できるスタンバイモードと、直ちに処理を実行できないが消費電力を低減させるスリープモードに切換え可能とする技術が知られている（例えば、特許文献１）。
【特許文献１】特開２００８−６１１１１号公報
【発明の概要】
【発明が解決しようとする課題】
【０００５】
この発明は上述した問題点を解決するためになされたもので、この発明の目的の１つは、複数のコンテンツ記録装置でコンテンツの記録を開始するタイミングを同期させることが可能なコンテンツ記録システムを提供することである。
【０００６】
この発明の他の目的の１つは、複数のコンテンツ記録装置でコンテンツの記録を開始するタイミングを同期させることが可能なコンテンツ記録制御方法を提供することである。
【課題を解決するための手段】
【０００７】
上述した目的を達成するためにこの発明のある局面によれば、コンテンツ記録システムは、複数のコンテンツ記録装置を含むコンテンツ記録システムであって、複数のコンテンツ記録装置のすべてを直ちにコンテンツを記録可能なスタンバイ状態に遷移させる準備手段と、複数のコンテンツ記録装置の状態を検出する検出手段と、複数のコンテンツ記録装置のすべてがスタンバイ状態に遷移したことが検出されることを条件に、複数のコンテンツ記録装置にコンテンツを記録させる開始制御手段と、を備える。
【０００８】
この局面に従えば、複数のコンテンツ記録装置のすべてをスタンバイ状態に遷移させ、複数のコンテンツ記録装置のすべてがスタンバイ状態に遷移したことが検出されることを条件に、複数のコンテンツ記録装置にコンテンツを記録させる。このため、複数のコンテンツ記録装置でスタンバイ状態になるまでの時間の差を最も遅いものに合せることができる。その結果、複数のコンテンツ記録装置でコンテンツの記録を開始するタイミングを同期させることが可能なコンテンツ記録システムを提供することができる。
【０００９】
好ましくは、複数のコンテンツ記録装置は、１つの親機を含み、親機は、準備手段と、検出手段と、開始制御手段と、を含む。
【００１０】
好ましくは、準備手段は、複数のコンテンツ記録装置のうち親機以外の少なくとも１つの子機に直ちにコンテンツを記録可能なスタンバイ状態に遷移させるためのスタンバイ信号を送信する送信手段を含み、検出手段は、少なくとも１つの子機それぞれからスタンバイ状態に遷移したことを示すスタンバイ完了信号を受信する状態受信手段を含む。
【００１１】
この局面に従えば、１台の親機によって、複数のコンテンツ記録装置のすべてがスタンバイ状態になったことを検出することができる。
【００１２】
好ましくは、検出手段により複数のコンテンツ記録装置のすべてがスタンバイ状態に遷移したことが検出されることに応じて、複数のコンテンツ記録装置のすべてがスタンバイ状態に遷移したことを通知する通知手段を、さらに備える。
【００１３】
この局面に従えば、複数のコンテンツ記録装置のすべてがスタンバイ状態に遷移したことをユーザに通知することができる。
【００１４】
好ましくは、開始制御手段は、複数のコンテンツ記録装置にコンテンツを記録させるための操作を受け付ける操作受付手段を含む。
【００１５】
この局面に従えば、ユーザがコンテンツの記録を開始するタイミングを指示することができる。
【００１６】
この発明の他の局面によれば、コンテンツ記録制御方法は、複数のコンテンツ記録装置のすべてを直ちにコンテンツを記録可能なスタンバイ状態に遷移させるステップと、複数のコンテンツ記録装置の状態を検出するステップと、複数のコンテンツ記録装置のすべてがスタンバイ状態に遷移したことが検出されることを条件に、複数のコンテンツ記録装置にコンテンツを記録させるステップと、を複数のコンテンツ記録装置のいずれか１つまたは複数のコンテンツ記録装置を制御するコンピュータに実行させる。
【００１７】
この局面に従えば、複数のコンテンツ記録装置でコンテンツの記録を開始するタイミングを同期させることが可能なコンテンツ記録制御方法を提供することができる。
【発明を実施するための形態】
【００１８】
以下、本発明の実施の形態について図面を参照して説明する。以下の説明では同一の部品には同一の符号を付してある。それらの名称および機能も同じである。したがってそれらについての詳細な説明は繰返さない。
【００１９】
図１は、本実施の形態におけるコンテンツ記録システムの全体概要の一例を示す図である。図１を参照して、コンテンツ記録システムは、コンテンツ記録装置として４台のＩＣレコーダ１，１Ａ〜１Ｃを含む。ここでは、ＩＣレコーダ１，１Ａ〜１Ｃは、音楽を演奏するグループを構成する４人それぞれによって所有されるものである。４人それぞれが所有するＩＣレコーダ１，１Ａ〜１Ｃが通信可能な範囲内に存在することによってコンテンツ記録システムが構成可能となる。ここでは、４人のうち一人がボーカルを担当し、他の３人がギター、ベースギター、ドラムをそれぞれ担当し、音楽を演奏する場合に、４台のＩＣレコーダ１，１Ａ〜１Ｃで音楽を録音する。具体的には、ボーカルを担当する人が所有するＩＣレコーダ１によって、ボーカルの音声を録音し、ギターを演奏する人が所有するＩＣレコーダ１Ａでギターの音声を録音し、ベースギターを演奏する人が所有するＩＣレコーダ１Ｂでベースギターの音声を録音し、ドラムを演奏する人が所有するＩＣレコーダ１Ｃでドラムの音声を録音する。
【００２０】
ＩＣレコーダ１，１Ａ〜１Ｃそれぞれには、音声データが記憶される。４つの音声データを、コンピュータ等に読み込んで、コンピュータに音楽編集用のアプリケーションプログラムを実行させることにより、４つの音声データを１つに合成するなどの編集ができる。ただし、４つの音声データを１つに合成する際に、４つの音声データを同期させる必要があるが、４つの音声データそれぞれが開始する時刻が同じとなるように開始時刻が同期していれば、４つの音声データの開始時刻を合せるだけで同期させることができる。このため、開始時刻を調整する作業をする必要がない。本実施の形態におけるコンテンツ記録システムにおいては、４つのＩＣレコーダ１，１Ａ〜１Ｃが録音を開始する時刻を同じにすることを可能とする。
【００２１】
なお、ここではコンテンツ記録システムが、４台のＩＣレコーダ１、１Ａ〜１Ｃを含む場合を例に説明するが、ＩＣレコーダの台数を４台に限定するものではなく、複数台であればよい。また、コンテンツ記録装置としてＩＣレコーダ１，１Ａ〜１Ｃを例に説明するが、録音機能を備えた装置であれば、ビデオカメラ、デジタルスチルカメラ、テープレコーダ等であってもよい。
【００２２】
また、ＩＣレコーダ１，１Ａ〜１Ｃのハードウェア構成および機能は同じなので、ここでは特に言及しない限りＩＣレコーダ１について説明する。
【００２３】
図２は、ＩＣレコーダの平面図である。図２を参照して、ＩＣレコーダ１は、本体部３と、指向性マイクロホンと無指向性マイクロホンとが内蔵される集音部５と、を含む。
【００２４】
集音部５は、本体部３に対してヒンジ機構を介して２軸に回転可能に接続されており、本体部３に対して相対的に集音部５の方向を変化させることが可能である。
【００２５】
本体部３は、液晶表示装置（ＬＣＤ）３５と、その下方に複数種類のキーを有する操作部７と、を備える。操作部７は、ハードキーを含む。ハードキーは、接点スイッチである。なお、ＬＣＤ３５に代えて、有機ＥＬＤ（Ｅｌｅｃｔｒｏ  Ｌｕｍｉｎｅｓｃｅｎｃｅ  Ｄｉｓｐｌａｙ）等のディスプレイを用いるようにしてもよい。
【００２６】
図３は、ＩＣレコーダのハードウェア構成の概要を示すブロック図である。図３を参照して、ＩＣレコーダ１は、ＩＣレコーダ１の全体を制御するための中央演算装置（ＣＰＵ）１１と、それぞれがＣＰＵ１１とバス４１で接続された、コーデック１３と、エンコーダ／デコーダ１５と、ＲＡＭ（Ｒａｎｄｏｍ  Ａｃｃｅｓｓ  Ｍｅｍｏｒｙ）２１と、スピーカ２３と、ヘッドホン端子２５と、外部メモリコントローラ２７と、ＥＥＰＲＯＭ（Ｅｌｅｃｔｒｉｃａｌｌｙ  Ｅｒａｓａｂｌe  ａｎｄ  Ｐｒｏｇｒａｍｍａｂｌｅ  Ｒｅａｄ  Ｏｎｌｙ  Ｍｅｍｏｒｙ）２９と、シリアルインターフェース（Ｉ／Ｆ）３１と、無線通信部３３と、ＬＣＤ３５と、を含む。
【００２７】
ＣＰＵ１１は、操作部７に接続され、ユーザが操作部７に入力する操作を受け付ける。ＲＡＭ２１は、ＣＰＵ１１の作業領域として用いられる。ＥＥＰＲＯＭ２９は、ＣＰＵ１１が実行するプログラム等を記憶する。また、ＥＥＰＲＯＭ２９は、圧縮された音声信号等を不揮発的に記憶するための内部メモリである。外部メモリコントローラ２７は、メモリカード２８が接続される。ＣＰＵ１１は、外部メモリコントローラ２７を介して、それに接続されたメモリカード２８にアクセスが可能である。
【００２８】
シリアルインターフェース３１は、シリアル通信可能な装置と接続される。ＣＰＵ１１は、シリアルインターフェース３１を介して、それに接続された装置と通信が可能である。ヘッドホン端子２５は、ヘッドホンまたはイヤホン等が接続され、それらにアナログの音声信号を出力する。スピーカ２３は、アナログの音声信号が入力され、音声を出力する。
【００２９】
コーデック１３は、指向性マイクロホン１７と、無指向性マイクロホン１９と、が接続され、指向性マイクロホン１７と無指向性マイクロホン１９とのいずれかから入力されるアナログの音声信号をＰＣＭ（Ｐｕｌｓｅ  Ｃｏｄｅ  Ｍｏｄｕｌａｔｉｏｎ）の方式でデジタル信号に変換し、所定の信号処理をした後に、デジタル処理後の音声信号をＣＰＵ１１に出力する。
【００３０】
エンコーダ／デコーダ１５は、ＣＰＵ１１により制御され、コーデック１３から出力される音声信号を、符号化する。また、エンコーダ／デコーダ１５は、ＣＰＵ１１により制御され、符号化された音声信号を復号する。エンコーダ／デコーダ１５が音声信号を符号化するための符号化方式は、限定するものではないが、例えばＭＰ３（ＭＰＥＧ  Ａｕｄｉｏ  Ｌａｙｅｒ−３）を用いる。ＣＰＵ１１は、圧縮した音声データを記憶する場合には、エンコーダ／デコーダ１５に符号化させ、符号化された音声データを、ＥＥＰＲＯＭ２９、または外部メモリコントローラ２７に接続されたメモリカード２８に記憶するが、音声データを圧縮することなく記憶する場合には、エンコーダ／デコーダ１５に符号化させることなく、コーデック１３からから出力される音声信号を音声データとして、ＥＥＰＲＯＭ２９、または外部メモリコントローラ２７に接続されたメモリカード２８に記憶する。
【００３１】
また、ＣＰＵ１１は、ＥＥＰＲＯＭ２９、または外部メモリコントローラ２７に接続されたメモリカード２８に記憶された音声データを読み出して、その音声データが圧縮されている場合には、エンコーダ／デコーダ１５に復号させた後の音声データを、その音声データが圧縮されていない場合にはその音声データをコーデック１３に入力し、コーデック１３に音声データをアナログ信号に変換させ、アナログの音声信号を、スピーカ２３またはヘッドホン端子２５に接続されたヘッドホンまたはイヤホンに出力する。
【００３２】
無線通信部３３は、ＣＰＵ１１によって制御され、ＩＥＥＥ  ８０２．１５．４によって仕様が定められる通信規格（ＺｉｇＢｅｅ）に従って、他のＩＣレコーダ１Ａ〜１Ｃと無線で通信する。なお、無線通信部３３が通信するための通信規格は、ＺｉｇＢｅｅに限定されず、例えば、電磁波を用いた通信、Ｂｌｕｅｔｏｏｔｈ（登録商標）やＵＷＢ（Ｕｌｔｒａ  Ｗｉｄｅ  Ｂａｎｄ）の無線通信方式であってもよいし。赤外線を用いた通信であってもよい。さらに、無線に限らず有線で接続されてもよい。
【００３３】
ＣＰＵ１１は、ＥＥＰＲＯＭ２９、または外部メモリコントローラ２７に接続されたメモリカード２８に記憶されたコンテンツ記録制御プログラムをＲＡＭ２１にロードして実行する。なお、コンテンツ記録制御プログラムを記憶する記憶媒体としては、メモリカード２９に限られず、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）などでもよい。
【００３４】
以下の説明では説明を簡単にするために、ボーカルを担当する人が所有するＩＣレコーダ１が親機となり、他のＩＣレコーダ１Ａ〜１Ｃが子機となる場合を例に説明する。また、子機として機能するＩＣレコーダ１Ａ〜１Ｃの機能は同じなので、ここでＩＣレコード１Ａの機能を説明することとし、図２および図３に示した機能と同じ機能については図２および図３に示した符号の後に記号「Ａ」を付して示す。例えば、ＩＣレコーダ１が備えるＣＰＵ１１に対応して、ＩＣレコーダ１ＡはＣＰＵ１１Ａを備える。
【００３５】
図４は、親機として機能するＩＣレコーダが備えるＣＰＵの機能の概要を示す機能ブロック図である。図４を参照して、親機として機能するＩＣレコーダ１が備えるＣＰＵ１１は、ユーザによる操作を受け付ける操作受付部５１と、子機とペアリングするための第１ペアリング部５３と、ペアリングされた子機をスタンバイ状態に遷移させる第１準備部５５と、ペアリングされた子機の状態を検出する検出部５７と、録音の開始を制御するための開始制御部５９と、コーデック１３を制御する録音制御部６１と、を含む。
【００３６】
図５は、子機として機能するＩＣレコーダが備えるＣＰＵの機能の概要を示す機能ブロック図である。図５を参照して、子機として機能するＩＣレコーダ１Ａが備えるＣＰＵ１１Ａは、ユーザによる操作を受け付ける操作受付部５１Ａと、親機とペアリングするための第２ペアリング部５４と、スタンバイ状態に遷移する第２準備部５６と、コーデック１３を制御する録音制御部６１Ａと、を含む。
【００３７】
図４および図５を参照して、操作受付部５１，５１Ａは、ユーザが操作部７に入力する操作を受け付ける。第１ペアリング部５３および第２ペアリング部５４は、ユーザが操作部７，７Ａが予め備えるペアリング指示ボタンを指示すると、ペアリング指示を受け付ける。第１ペアリング部５３および第２ペアリング部５４は、ペアリング指示を受け付けると、ＬＣＤ３５，３５Ａに、親機と子機とのいずれかを選択するためのメニュー画面を表示し、ユーザが操作部７，７Ａに指示する操作を入力すると、親機と子機とのいずれかを選択する指示受け付ける。ここでは、第１ペアリング部５３が親機を選択する指示を受け付け、第２ペアリング部５４が子機を選択する指示を受け付ける。
【００３８】
第１ペアリング部５３は、無線通信部３３を制御して、ペアリング信号をブロードキャストで送信し、予め定められた所定の時間、ペアリング完了信号を受信する。一方、第２ペアリング部５４は、無線通信部３３Ａを制御して、ペアリング信号を受信するまで待機状態となり、ペアリング信号を受信すると、そのペアリング信号を送信してきた親機、ここではＩＣレコーダ１を識別するための装置識別情報を取得する。装置識別情報は、無線通信部３３が通信するネットワークにおいて予め定められたアドレスであってもよいし、装置に予め割り当てられた記号または番号であってもよい。第２ペアリング部５４は、親機であるＩＣレコーダ１の装置識別情報をＲＡＭ２１Ａに記憶することにより、ＩＣレコーダ１を親機として登録する。そして、第２ペアリング部５４は、無線通信部３３Ａを制御して、ＩＣレコーダ１にペアリング完了信号を送信する。
【００３９】
第１ペアリング部５３は、無線通信部３３を制御して、ペアリング信号を送信した後の所定時間が経過する前にペアリング完了信号を受信すると、そのペアリング完了信号を送信してきた子機、ここではＩＣレコーダ１Ａを識別別するための装置識別情報を取得する。第１ペアリング部５３は、子機であるＩＣレコーダ１Ａの装置識別情報をＲＡＭ２１に記憶することにより、ＩＣレコーダ１Ａを子機として登録する。
【００４０】
なお、ＩＣレコーダ１Ｂ、１Ｃそれぞれにおいても、親機であるＩＣレコーダ１からペアリング信号が受信され、親機であるＩＣレコーダ１の装置識別情報がＲＡＭ２１Ｂ，２１Ｃに記憶され、ＩＣレコーダ１が親機として登録される。さらに、第１ペアリング部５３は、ペアリング信号を送信した後の所定時間が経過する前に、ＩＣレコーダ１Ｂ、１Ｃそれぞれからもペアリング完了信号を受信し、それらの装置識別情報をＲＡＭ２１に記憶することにより、ＩＣレコーダ１Ｂ、１Ｃを子機として登録する。
【００４１】
第１ペアリング部５３は、ペアリング信号を送信した後の所定時間が経過すると、ＲＡＭ２１に記憶した子機のＩＣレコーダ１Ａ〜１Ｃそれぞれの装置識別情報を第１準備部５５に出力する。
【００４２】
ユーザが操作部７の備えるスタンバイボタンを押下すると、操作受付部５１は操作部７からスタンバイ指示を受け付ける。操作受付部５１は、スタンバイ指示を受け付けると、第１準備部５５にスタンバイ指示を出力する。第１準備部５５は、スタンバイ指示を受け付けると、子機のＩＣレコーダ１Ａ〜１Ｃそれぞれをスタンバイ状態に遷移させるとともに、ＩＣレコーダ１を直ちに録音可能な状態であるスタンバイ状態にする。ＩＣレコーダ１をスタンバイ状態にするために、第１準備部５５は、メモリカード２８に直ちに音声データを記憶可能な状態にするための処理を実行する。より具体的には、メモリカード２８の空き領域をサーチし、音声データを記録可能な領域を確保する処理を実行する。
【００４３】
第１準備部５５は、スタンバイ信号送信部６３を含む。スタンバイ信号送信部６３は、無線通信部３３を制御して、ＲＡＭ２１に記憶された子機の装置識別情報に基づいて、ＩＣレコーダ１Ａ〜１Ｃそれぞれに、スタンバイ状態に遷移させるためのコマンドを含むスタンバイ信号を送信する。
【００４４】
一方、子機のＩＣレコーダ１Ａが備えるＣＰＵ１１Ａに含まれる第２準備部５６は、スタンバイ信号受信部７１と、スタンバイ完了信号送信部７３と、を含む。スタンバイ信号受信部７１は、無線通信部３３Ａを制御して、ＲＡＭ２１Ａに記憶された装置識別情報で特定されるＩＣレコーダ１からスタンバイ信号を受信する。スタンバイ信号受信部７１は、スタンバイ信号を受信すると、ＩＣレコーダ１Ａを直ちに録音可能な状態であるスタンバイ状態にし、スタンバイ状態に遷移すると、スタンバイ完了信号をスタンバイ完了信号送信部７３に出力する。
【００４５】
スタンバイ完了信号送信部７３は、スタンバイ信号受信部７１からスタンバイ完了信号を受信すると、無線通信部３３Ａを制御して、ＲＡＭ２１Ａに記憶された装置識別情報で特定される親機、ここではＩＣレコーダ１にスタンバイ完了信号を送信する。
【００４６】
親機であるＩＣレコーダ１が備える検出部５７は、自装置およびＲＡＭ２１に記憶された子機の装置識別情報で特定されるＩＣレコーダ１Ａ〜１Ｃそれぞれの状態を検出し、ＩＣレコーダ１Ａ〜１Ｃのすべてがスタンバイ状態になったことを検出すると、開始制御部５９に完了信号を出力する。
【００４７】
検出部５７は、状態受信部６５と、通知部６７とを含む。状態受信部６５は、無線通信部３３を制御して、ＲＡＭ２１に記憶された子機の装置識別情報で特定されるＩＣレコーダ１Ａ〜１Ｃからスタンバイ完了信号を受信する。ＲＡＭ２１に記憶された子機の装置識別情報で特定されるＩＣレコーダ１Ａ〜１Ｃのうち、状態受信部６５により受信されたスタンバイ完了信号を送信してきたＩＣレコーダについてはスタンバイ状態と判断し、状態受信部６５によりスタンバイ完了信号が受信されていないＩＣレコーダについては、スタンバイ状態でないと判断する。
【００４８】
状態受信部６５は、自装置がスタンバイ状態となり、かつ、ＲＡＭ２１に記憶された子機の装置識別情報で特定されるＩＣレコーダ１Ａ〜１Ｃのすべてからスタンバイ完了信号を受信すると、通知部６７に通知指示を出力する。
【００４９】
通知部６７は、状態受信部６５から通知指示が入力されると、ＬＣＤ３５に自装置および子機のすべてがスタンバイ状態になったことを示す通知画面を表示する。通知画面は、例えば、ＲＡＭ２１に記憶された子機の装置識別情報のすべてと、「スタンバイ完了」のメッセージとを含む。これにより、親機のＩＣレコーダ１を操作するユーザは、ＩＣレコーダ１，１Ａ〜１Ｃのすべてが録音可能なスタンバイ状態になったことを知ることができる。なお、通知部６７が通知画面を表示するのに代えて、またはそれに加えて、操作部７が予め備えるＬＥＤ（Ｌｉｇｈｔ  Ｅｍｉｔｔｉｎｇ  Ｄｉｏｄｅ）を発光させるようにしてもよい。
【００５０】
ユーザが操作部７の備える録音ボタンを押下すると、操作受付部５１は録音開始指示を受け付ける。操作受付部５１は、録音開始指示を受け付けると、開始制御部５９に録音開始指示を出力する。開始制御部５９は、録音開始指示を受け付ける場合、検出部５７から完了信号が入力されていることを条件に、録音制御部６１に録音指示を出力するとともに、通信制御部３３を制御して、ＲＡＭ２１に記憶された子機の装置識別情報で特定されるＩＣレコーダ１Ａ〜１Ｃのすべてに録音開始信号を送信する。
【００５１】
録音制御部６１は、開始制御部５９から録音指示が入力されると、コーデック１３および外部メモリコントローラ２７を制御して、コーデック１３に音声信号をデジタル信号に変換させ、音声信号をメモリカード２８に記憶させる。外部メモリコントローラ２７は、音声データを直ちにメモリカード２８に記憶可能な状態となっているので、録音指示が入力されたときからの音声データが記憶される。本実施の形態においては、音声データを圧縮することなく記憶する場合について説明する。
【００５２】
一方、子機であるＩＣレコーダ１Ａが備える録音制御部６１Ａは、無線通信部３３Ａを制御して、親機であるＩＣレコーダ１から録音開始信号を受信する。録音制御部６１Ａは、録音開始信号を受信すると、コーデック１３Ａおよび外部メモリコントローラ２７を制御して、コーデック１３Ａに音声信号をデジタル信号に変換させ、音声信号をメモリカード２８に記憶させる。外部メモリコントローラ２７は、音声データを直ちにメモリカード２８に記憶可能な状態となっているので、録音開始信号が受信されたときからの音声データが記憶される。
【００５３】
図６および図７は、録音処理の流れの一例を示すフローチャートである。録音処理は、ＩＣレコーダ１、１Ａ〜１Ｃそれぞれが備えるＣＰＵがコンテンツ記録制御プログラムを実行することにより、ＣＰＵにより実行される処理である。ここでは、ＩＣレコーダ１，１Ａがそれぞれ備えるＣＰＵ１１，１１Ａそれぞれが録音プログラムを実行し、ＩＣレコーダ１が親機に設定され、ＩＣレコーダ１Ａが子機に設定される場合を例に説明する。
【００５４】
図６および図７を参照して、ＣＰＵ１１，１１Ａは、ペアリング指示を受け付けたか否かを判断する（ステップＳ０１）。ペアリング指示を受け付けるまで待機状態となり（ステップＳ０１でＮＯ）、ペアリング指示を受け付けると（ステップＳ０１でＹＥＳ）、処理をステップＳ０２に進める。ユーザが操作部７，７Ａが予め備えるペアリング指示ボタンを指示すると、ペアリング指示を受け付ける。
【００５５】
ステップＳ０２においては、親機に設定されたか否かを判断する。親機に設定されたならば処理をステップＳ０３に進めるが、そうでなければ処理をステップＳ２１に進める。ステップＳ２１においては子機に設定されたか否かを判断する。子機に設定されたならば処理をステップＳ２２に進め、そうでなければ処理をステップＳ０１に戻す。ＬＣＤ３５，３５Ａに、親機と子機とのいずれかを選択するためのメニュー画面を表示し、ユーザが操作部７，７Ａにいずれかを指示する操作を入力すると、親機と子機とのいずれかを選択する指示受け付ける。ここでは、ＩＣレコーダ１が親機に設定されるので、ＣＰＵ１１は処理をステップＳ０３に進め、ステップＳ０３〜ステップＳ１７の処理を実行し、ＩＣレコーダ１Ａが子機に設定されるので、ＣＰＵ１１Ａは処理をステップＳ２２に進め、ステップＳ２２〜ステップＳ３３の処理を実行する。
【００５６】
ＣＰＵ１１は、ステップＳ０３において、無線通信部３３を制御してペアリング信号を送信する。そして、無線通信部３３がペアリング完了信号を受信したか否かを判断する（ステップＳ０４）。ペアリング完了信号を受信したならば処理をステップＳ０５に進めるが、そうでなければ処理をステップＳ０６に進める。ステップＳ０５においては、ペアリング完了信号を送信してきたＩＣレコーダを子機として登録し（ステップＳ０５）、処理をステップＳ０５に進める。具体的には、ＩＣレコーダ１Ａ，１Ｂ，１Ｃのうちペアリング完了信号を送信してきたもの装置識別情報をＲＡＭ２１に記憶する。
【００５７】
ステップＳ０５においては、所定の時間が経過したか否かを判断する。所定時間が経過したならば処理をステップＳ０７に進めるが、そうでなければ処理をステップＳ０４に戻す。すなわち、ステップＳ０３においてペアリング信号を送信してから所定時間経過する前にペアリング完了信号を送信してきたＩＣレコーダを子機として登録する。
【００５８】
一方、子機のＩＣレコーダ１Ａが備えるＣＰＵ１１Ａは、ステップＳ２２において、無線通信部３３がペアリング信号を受信したか否かを判断する。ペアリング信号を受信するまで待機状態となり（ステップＳ２２でＮＯ）、ペアリング信号を受信したならば処理をステップＳ２３に進める。なお、所定時間経過してもペアリング信号を受信しなければ処理を終了するようにしてもよい。
【００５９】
ステップＳ２３においては、ペアリング信号を送信してきたＩＣレコーダを親機として登録する。具体的には、ＩＣレコーダ１，１Ｂ，１Ｃのうちペアリング信号を送信してきたもの、ここではＩＣレコーダ１の装置識別情報をＲＡＭ２１Ａに記憶する。次のステップＳ２４においては、無線通信部３３Ａを制御して、ＲＡＭ２１Ａに記憶された装置識別情報に基づいて、ペアリング完了信号をＩＣレコーダ１に送信する。
【００６０】
親機のＩＣレコーダ１が備えるＣＰＵ１１は、ステップＳ０７において、スタンバイ指示を受け付けたか否かを判断する。ユーザが操作部７の備えるスタンバイボタンを押下すると、スタンバイ指示を受け付ける。スタンバイ指示を受け付けるまで待機状態となり（ステップＳ０７でＮＯ）、スタンバイ指示を受け付けたならば（ステップＳ０７でＹＥＳ）、処理をステップＳ０８に進める。
【００６１】
ステップＳ０８においては、ＲＡＭ２１に記憶された子機の装置識別情報に基づいて、すべての子機のＩＣレコーダ１Ａ〜１Ｃそれぞれに、スタンバイ状態に遷移させるためのコマンドを含むスタンバイ信号を送信する。そして、自装置をスタンバイ状態に切換える（ステップＳ０９）。具体的には、メモリカード２８に直ちに音声データを記憶可能な状態にするための処理を実行する。より具体的には、外部メモリコントローラ２７を制御して、メモリカード２８の空き領域をサーチし、音声データを記録可能な領域を確保する処理を実行する。
【００６２】
次のステップＳ１０においては、無線通信部３３を制御して、ＲＡＭ２１に記憶された子機の装置識別情報で特定されるＩＣレコーダ１Ａ〜１Ｃのすべてからスタンバイ完了信号を受信したか否かを判断する。すべてのＩＣレコーダ１Ａ〜１Ｃからスタンバイ完了信号を受信するまで待機状態となり（ステップＳ１０でＮＯ）、すべてのＩＣレコーダ１Ａ〜１Ｃからスタンバイ完了信号を受信すると（ステップＳ１０でＹＥＳ）、処理をステップＳ１１に進める。
【００６３】
ステップＳ１１においては、子機のすべてがスタンバイ状態になったことを通知する。具体的には、ＬＣＤ３５に通知画面を表示する。通知画面は、例えば、ＲＡＭ２１に記憶された子機の装置識別情報のすべてと、「スタンバイ完了」のメッセージとを含む。これにより、親機のＩＣレコーダ１を操作するユーザは、ＩＣレコーダ１，１Ａ〜１Ｃのすべてが録音可能なスタンバイ状態になったことを知ることができる。
【００６４】
一方、子機のＩＣレコーダ１Ａが備えるＣＰＵ１１Ａは、親機のＩＣレコーダ１からスタンバイ信号を受信するまで待機状態となり（ステップＳ２５でＮＯ）、スタンバイ信号を受信すると（ステップＳ２５でＹＥＳ）、処理をステップＳ２６に進める。ステップＳ２６においては、ＩＣレコーダ１Ａをスタンバイ状態に切換える。具体的には、メモリカード２８に直ちに音声データを記憶可能な状態にするための処理を実行する。より具体的には、外部メモリコントローラ２７を制御して、メモリカード２８の空き領域をサーチし、音声データを記録可能な領域を確保する処理を実行する。
【００６５】
ステップＳ２７においては、スタンバイ状態に遷移したか否かを判断する。スタンバイ状態に遷移するまで待機状態となり（ステップＳ２７でＮＯ）、スタンバイ状態に遷移すると（ステップＳ２７でＹＥＳ）、処理をステップＳ２８に進める。
【００６６】
ステップＳ２８においては、無線通信部３３Ａを制御して親機のＩＣレコーダ１にスタンバイ完了信号を送信する。ＲＡＭ２１Ａに記憶されている装置識別情報に基づいて、親機のＩＣレコーダ１を特定する。
【００６７】
親機のＩＣレコーダ１が備えるＣＰＵ１１は、ステップＳ１２において、録音開始指示を受け付けたか否かを判断する、ユーザが操作部７の備える録音ボタンを押下すると、録音開始指示を受け付ける。録音開始指示を受け付けるまで待機状態となり（ステップＳ１２でＮＯ）、録音開始指示を受け付けたならば（ステップＳ１２でＹＥＳ）、処理をステップＳ１３に進める。
【００６８】
ステップＳ１３においては、無線通信部３３を制御して、ＲＡＭ２１に記憶された子機の装置識別情報に基づいて、すべての子機のＩＣレコーダ１Ａ〜１Ｃそれぞれに、録音開始信号を送信する。後述するように、すべての子機のＩＣレコーダ１Ａ〜１Ｃそれぞれにおいて、録音が開始される。
【００６９】
次のステップＳ１４においては、録音を開始する。具体的には、コーデック１３および外部メモリコントローラ２７を制御して、コーデック１３に音声信号をデジタル信号に変換させ、音声信号をデジタル信号に変換した音声データをメモリカード２８に記憶させる。外部メモリコントローラ２７は、ステップＳ０８において音声データを直ちにメモリカード２８に記憶可能な状態となっているので、録音指示が入力されたときからの音声データが記憶される。
【００７０】
ステップＳ１５において、録音停止指示を受け付けたか否かを判断する、ユーザが操作部７の備える停止ボタンを押下すると、録音停止指示を受け付ける。録音停止指示を受け付けるまで待機状態となり（ステップＳ１５でＮＯ）、録音停止指示を受け付けたならば（ステップＳ１５でＹＥＳ）、処理をステップＳ１６に進める。
【００７１】
ステップＳ１６においては、録音を停止し、処理をステップＳ１７に進める。ステップＳ１７においては、無線通信部３３を制御して、ＲＡＭ２１に記憶された子機の装置識別情報に基づいて、すべての子機のＩＣレコーダ１Ａ〜１Ｃそれぞれに、録音停止信号を送信する。そして、ペアリングを解除し（ステップＳ１８）、処理を終了する。ペアリングの解除は、ＲＡＭ２１に記憶された子機の装置識別情報を消去する。
【００７２】
一方、子機のＩＣレコーダ１Ａが備えるＣＰＵ１１Ａは、ステップＳ２９において、無線通信部３３Ａが親機であるＩＣレコーダ１から録音開始信号を受信したか否かを判断するする。親機であるＩＣレコーダ１から録音開始信号を受信するまで待機状態となり（ステップＳ２９でＮＯ）、録音開始信号を受信すると（ステップＳ２９でＹＥＳ）、処理をステップＳ３０に進める。
【００７３】
ステップＳ３０においては、録音を開始する。具体的には、コーデック１３Ａおよび外部メモリコントローラ２７を制御して、コーデック１３Ａに音声信号をデジタル信号に変換させ、音声信号をデジタル信号に変換した音声データをメモリカード２８に記憶させる。ステップＳ２５において、外部メモリコントローラ２７は音声データを直ちにメモリカード２８に記憶可能な状態となっているので、録音開始信号が受信されたときからの音声データが記憶される。
【００７４】
ステップＳ３１において、無線通信部３３Ａが親機であるＩＣレコーダ１から録音停止信号を受信したか否かを判断するする。録音停止信号を受信するまで待機状態となり（ステップＳ３１でＮＯ）、録音停止信号を受信すると（ステップＳ３１でＹＥＳ）、処理をステップＳ３２に進める。
【００７５】
ステップＳ３２においては、録音を停止する。そして、ペアリングを解除し（ステップＳ３３）、処理を終了する。ペアリングの解除は、ＲＡＭ２１Ａに記憶された親機の装置識別情報を消去する。
【００７６】
以上説明したように本実施の形態におけるコンテンツ記録システムは、４台のＩＣレコーダ１，１Ａ〜１Ｃを含み、親機となるＩＣレコーダ１は、自装置をスタンバイ状態に切換えるとともに、子機となるＩＣレコーダ１Ａ〜１Ｃのすべてにスタンバイ信号を送信することにより、ＩＣレコーダ１，１Ａ〜１Ｃのすべてをスタンバイ状態に遷移させ、ＩＣレコーダ１Ａ〜１Ｃの状態を検出して、４台のＩＣレコーダ１，１Ａ〜１Ｃのすべてがスタンバイ状態に遷移したことが検出されることを条件に、４台のＩＣレコーダ１，１Ａ〜１Ｃに録音させる。このため、４台のＩＣレコーダ１，１Ａ〜１Ｃがスタンバイ状態になるまでの時間の差を最も遅いものに合せることができ、ＩＣレコーダ１，１Ａ〜１Ｃそれぞれが録音を開始するタイミングを同期させることができる。
【００７７】
また、親機となるＩＣレコーダ１が子機となるＩＣレコーダ１Ａ〜１Ｃにスタンバイ状態に遷移させるためのスタンバイ信号を送信し、ＩＣレコーダ１Ａ〜１Ｃそれぞれからスタンバイ状態に遷移したことを示すスタンバイ完了信号を受信する。このため、１台の親機であるＩＣレコーダ１によって、ＩＣレコーダ１，１Ａ〜１Ｃのすべてがスタンバイ状態になったことを検出することができる。
【００７８】
さらに、ＩＣレコーダ１，１Ａ〜１Ｃのすべてがスタンバイ状態に遷移したことが検出されることに応じて、ＩＣレコーダ１，１Ａ〜１Ｃのすべてがスタンバイ状態に遷移したことを通知する通知画面をＬＣＤ３５に表示するので、ユーザに録音可能であることを通知することができる。
【００７９】
さらに、ＩＣレコーダ１，１Ａ〜１Ｃは、ＩＣレコーダ１が録音を開始させるための操作を受け付けることに応じて、録音を開始するので、ユーザが録音を開始するタイミングを指示することができる。
【００８０】
なお、上述した実施の形態においては、ＩＣレコーダ１，１Ａ〜１Ｃを含むコンテンツ記録システムにおいて、ＩＣレコーダ１を親機とする場合を例に説明したが、ＩＣレコーダ１，１Ａ〜１Ｃのいずれを親機としてもよい。また、親機であるＩＣレコーダ１が録音する場合を例に説明したが、親機であるＩＣレコーダ１は、録音しなくてもよい。さらに、ＩＣレコーダ１，１Ａ〜１Ｃを遠隔操作するためのリモートコントローラ等のコンピュータを親機とするようにしてもよい。
【００８１】
また、コンテンツとは、ここでは音声を例に説明するが、動画および、動画と音声の組み合わせを含む。さらに、コンテンツ記録装置の一例としてＩＣレコーダ１，１Ａ〜１Ｃを説明したが、動画、または動画と音声の組み合わせを記録するデジタルカメラ等であってもよい。
【００８２】
また、図６に示した処理を実行するためのコンテンツ記録制御方法および、そのコンテンツ記録制御方法を複数のコンテンツ記録装置のいずれか１つまたは複数のコンテンツ記録装置を制御するコンピュータに実行させるためのコンテンツ記録制御プログラムとして発明を捉えることができるのは言うまでもない。
【００８３】
ここでいうプログラムは、ＣＰＵ１０１により直接実行可能なプログラムだけでなく、ソースプログラム形式のプログラム、圧縮処理されたプログラム、暗号化されたプログラム等を含む。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８５】
＜付記＞
（１）  複数のコンテンツ記録装置のすべてを直ちにコンテンツを記録可能なスタンバイ状態に遷移させるステップと、
前記複数のコンテンツ記録装置の状態を検出するステップと、
前記複数のコンテンツ記録装置のすべてがスタンバイ状態に遷移したことが検出されることを条件に、前記複数のコンテンツ記録装置にコンテンツを記録させるステップと、を前記複数のコンテンツ記録装置のいずれか１つまたは前記複数のコンテンツ記録装置を制御するコンピュータに実行させる録音制御プログラム。
【００８６】
この局面に従えば、複数のコンテンツ記録装置でコンテンツの記録を開始するタイミングを同期させることが可能なコンテンツ記録制御プログラムを提供することができる。
【図面の簡単な説明】
【００８７】
【図１】本実施の形態におけるコンテンツ記録システムの全体概要の一例を示す図である。
【図２】ＩＣレコーダの平面図である。
【図３】ＩＣレコーダのハードウェア構成の概要を示すブロック図である。
【図４】親機として機能するＩＣレコーダが備えるＣＰＵの機能の概要を示す機能ブロック図である。
【図５】子機として機能するＩＣレコーダが備えるＣＰＵの機能の概要を示す機能ブロック図である。
【図６】ＩＣレコーダが備えるＣＰＵにより実行される録音処理の流れの一例を示す第１のフローチャートである。
【図７】ＩＣレコーダが備えるＣＰＵにより実行される録音処理の流れの一例を示す第２のフローチャートである。
【符号の説明】
【００８８】
１，１Ａ，１Ｂ，１Ｃ  ＩＣレコーダ、３  本体部、５  集音部、７  操作部、１１  ＣＰＵ、１３  コーデック、１５  デコーダ、１７  指向性マイクロホン、１９  無指向性マイクロホン、２１  ＲＡＭ、２３  スピーカ、２５  ヘッドホン端子、２７  外部メモリコントローラ、２８  メモリカード、３１  シリアルインターフェース、３３  無線通信部、３５  ＬＣＤ、４１  バス、５１，５１Ａ  操作受付部、５３  第１ペアリング部、５４  第２ペアリング部、５５  第１準備部、５６  第２準備部、５７  検出部、５９  開始制御部、６１，６１Ａ  録音制御部、６３  スタンバイ信号送信部、６５  状態受信部、６７  通知部、７１  スタンバイ信号受信部、７３  スタンバイ完了信号送信部。
【図１】
2010244643.tif 000003
【図２】
2010244643.tif 000004
【図３】
2010244643.tif 000005
【図４】
2010244643.tif 000006
【図５】
2010244643.tif 000007
【図６】
2010244643.tif 000008
【図７】
2010244643.tif 000009